(57)【要約】      （修正有）【課題】各メーカーのジグソーパズルの寸法の相違を吸収し、異なるサイズの複数のジグソーパズルを収めることができるとともに、押さえ枠が容易に外れてしまうことのないようにしたジグソーパズル用フレームの提供。【解決手段】異なるサイズのジグソーパズルのいずれをも乗載することができる。それらのジグソーパズルのいずれよりも大きいサイズの台座Ａと、その台座Ａの周縁の、該台座Ａに乗載された上記ジグソーパズルのサイズに合わせた所定の位置に、取り外し自在に取り付けることにより、該ジグソーパズルの周縁を押圧固定する複数の押さえ枠Ｄ，Ｅとからなるジグソーパズル用フレームにおいて、上記押さえ枠Ｄ，Ｅが上記台座Ａから外れないようロックする押さえ枠ロック手段ａ２７，ａ２８を備えているジグソーパズル用フレーム。【選択図】図５
0003130934.tif 000002
【実用新案登録請求の範囲】
【請求項１】
異なるサイズのジグソーパズル（Ｐ１，Ｐ２，Ｐ３）のいずれをも乗載することができる、それらのジグソーパズル（Ｐ１，Ｐ２，Ｐ３）のいずれよりも大きいサイズの台座（Ａ）と、その台座（Ａ）の周縁の、該台座（Ａ）に乗載された上記ジグソーパズル（Ｐ１，Ｐ２，Ｐ３）のサイズに合わせた所定の位置に、取り外し自在に取り付けることにより、該ジグソーパズル（Ｐ１，Ｐ２，Ｐ３）の周縁を押圧固定する複数の押さえ枠（Ｄ，Ｅ，Ｆ）とからなるジグソーパズル用フレームにおいて、
上記押さえ枠（Ｄ，Ｅ，Ｆ）が、上記台座（Ａ）から外れないようロックする押さえ枠ロック手段を備えていることを特徴とするジグソーパズル用フレーム。
【請求項２】
上記押さえ枠ロック手段が、上記台座（Ａ）の押さえ枠ロック部材（ａ２７，ａ２８）と、上記押さえ枠（Ｄ）のロック用係合部材（Ｄ２６）とからなることを特徴とする請求項１記載のジグソーパズル用フレーム。
【請求項３】
上記台座（Ａ）の押さえ枠ロック部材（ａ２７，ａ２８）が、縦枠（ａ１）および横枠（ａ２）に形成した長孔（ａ２９）に挿通した軸（ａ３０）の下面側にツマミ（ａ３１）を、上面側に係合片（ａ３２）を固定し、これを上記長孔（ａ２９）に沿って摺動可能にするとともに、上記係合片（ａ３２）を上記押さえ枠（Ｄ）のロック用係合部材（Ｄ２６）に係脱自在に係合するようにしてなり、上記押さえ枠（Ｄ）のロック用係合部材（Ｄ２６）が、上記押さえ枠ロック部材（ａ２７，ａ２８）の係合片（ａ３２）を係合させる係合辺（Ｄ２６ａ〜Ｄ２６ｃ）を有することを特徴とする請求項２記載のジグソーパズル用フレーム。
【請求項４】
上記押さえ枠ロック手段によりロックされた押さえ枠（Ｄ）と、他の押さえ枠（Ｅ，Ｆ）とを連結する押さえ枠連結手段を備えたことを特徴とする請求項２または３記載のジグソーパズル用フレーム。
【請求項５】
上記台座（Ａ）の周縁の、該台座（Ａ）に乗載されたジグソーパズルのサイズに合わせた所定の位置に、複数の上記押さえ枠（Ｄ，Ｅ，Ｆ）とともに取り外し自在に取り付けられ、そのジグソーパズル（Ｐ２）の周縁を押圧固定する、補助押さえ枠を有することを特徴とする請求項１，２，３または４記載のジグソーパズル用フレーム。
【請求項６】
ジグソーパズルを台座（Ａ）上に位置決めするための、該台座（Ａ）の四隅の所定位置に取外し自在に乗載可能な位置決め片（Ｊ，Ｊ，Ｊ’，Ｊ’、Ｋ、Ｋ，Ｋ’，Ｋ’）を有することを特徴とする請求項１，２，３，４または５記載のジグソーパズル用フレーム。
【考案の詳細な説明】
【技術分野】
【０００１】
本考案は、ジグソーパズル用フレームに関する。
【背景技術】
【０００２】
ジグソーパズルは、所定の絵柄や写真を印刷した印刷板を不規則な形状に型抜き分離して得た多数のパズルピースからなり、このパズルピースを適宜組み合わせて元の絵柄等が再現されるようにしたもので、そのパズルピースの数はジグソーパズルのサイズに応じて異なるが、たとえば１０００ピースのもの、５００ピースのもの、３００ピースのもの等がある。
上記のパズルピースを適宜組み合わせることで完成されたジグソーパズルは、別途用意されるジグソーパズル用フレームに収めて展示することができる（特許文献１参照）。
【０００３】
しかしながら、同じピース数のジグソーパズルであっても、メーカーによりその縦横の寸法が若干相違する。
たとえば、５００ピースのジグソーパズルのうち、主要な３タイプのもののサイズはそれぞれ、縦３８０ｍｍ×横５３０ｍｍ（大サイズ）、縦３６０ｍｍ×横４９０ｍｍ（中サイズ）、および、縦３５０ｍｍ×横４９０ｍｍ（小サイズ）である。
したがって、これら３タイプのジグソーパズルは、ほぼ同じ寸法であるにもかかわらず、それぞれ各メーカーのジグソーパズルのサイズに合わせた専用のフレームにでなければ収めることができなかったから、ユーザは各メーカーのジグソーパズルについて、それぞれ専用のフレームを用意せざるを得なかった。
【特許文献１】実開平５−２１９９２号公報
【０００４】
上記の課題を解決することができるジグソーパズル用フレームとして、本出願人は既に実願２００６−００９９４２のものを提案している。
これは、異なるサイズのジグソーパズルをも乗載することができる、いずれよりも大きいサイズの台座と、その台座の周縁の、該台座に乗載された上記ジグソーパズルのサイズに合わせた所定の位置に、取り外し自在に取り付けることにより、該ジグソーパズルの周縁を押圧固定する複数の押さえ枠とからなるものである。
【０００５】
しかし、上記押さえ枠は、その裏面の所定位置に形成してある突起受部を、台座の突起に嵌合することによって取り付けられるようにしただけのものであるので、衝撃や揺動により、台座から外れてしまうおそれがあった。
【考案の開示】
【考案が解決しようとする課題】
【０００６】
そこで、本考案は、各メーカーのジグソーパズルの寸法の相違を吸収し、異なるサイズの複数のジグソーパズルを収めることができるとともに、押さえ枠が容易に外れてしまうことのないようにしたジグソーパズル用フレームの提供を課題とする。
【課題を解決するための手段】
【０００７】
請求項１記載の本考案は、異なるサイズのジグソーパズルＰ１，Ｐ２，Ｐ３のいずれをも乗載することができる、それらのジグソーパズルＰ１，Ｐ２，Ｐ３のいずれよりも大きいサイズの台座Ａと、その台座Ａの周縁の、該台座Ａに乗載された上記ジグソーパズルＰ１，Ｐ２，Ｐ３のサイズに合わせた所定の位置に、取り外し自在に取り付けることにより、該ジグソーパズルＰ１，Ｐ２，Ｐ３の周縁を押圧固定する複数の押さえ枠Ｄ，Ｅ，Ｆとからなるジグソーパズル用フレームにおいて、上記押さえ枠Ｄ，Ｅ，Ｆが上記台座Ａから外れないようロックする押さえ枠ロック手段を備えているジグソーパズル用フレームである。
【０００８】
請求項２記載の本考案は、上記押さえ枠ロック手段が、上記台座Ａの押さえ枠ロック部材ａ２７，ａ２８と、上記押さえ枠Ｄのロック用係合部材Ｄ２６とからなる請求項１記載のジグソーパズル用フレームである。
【０００９】
請求項３記載の本考案は、上記台座Ａの押さえ枠ロック部材ａ２７，ａ２８が、縦枠ａ１および横枠ａ２に形成した長孔ａ２９に挿通した軸ａ３０の下面側にツマミａ３１を、上面側に係合片ａ３２を固定し、これを上記長孔ａ２９に沿って摺動可能にするとともに、上記係合片ａ３２を上記押さえ枠Ｄのロック用係合部材Ｄ２６に係脱自在に係合するようにしてなり、上記押さえ枠Ｄのロック用係合部材Ｄ２６が、上記押さえ枠ロック部材ａ２７，ａ２８の係合片ａ３２を係合させる係合辺Ｄ２６ａ〜Ｄ２６ｃを有する請求項２記載のジグソーパズル用フレームである。
【００１０】
請求項４記載の本考案は、上記押さえ枠ロック手段によりロックされた押さえ枠Ｄと、押さえ枠Ｅ，Ｆとを連結する押さえ枠連結手段を備えた請求項２または３記載のジグソーパズル用フレームである。
【００１１】
請求項５記載の本考案は、上記台座Ａの周縁の、該台座Ａに乗載されたジグソーパズルのサイズに合わせた所定の位置に、複数の上記押さえ枠Ｄ，Ｅ，Ｆとともに取り外し自在に取り付けられ、そのジグソーパズルＰ２の周縁を押圧固定する、補助押さえ枠を有する請求項１，２，３または４記載のジグソーパズル用フレームである。
【００１２】
請求項６記載の本考案は、ジグソーパズルを台座Ａ上に位置決めするための、該台座Ａの四隅の所定位置に取外し自在に乗載可能な位置決め片Ｊ，Ｊ，Ｊ’，Ｊ’、Ｋ、Ｋ，Ｋ’，Ｋ’を有する請求項１，２，３，４または５記載のジグソーパズル用フレームである。
【考案の効果】
【００１３】
本考案ジグソーパズル用フレームによれば、各メーカーのジグソーパズルの寸法の相違を吸収でき、また、異なるサイズの複数のジグソーパズルを収めることができるとともに、押さえ枠が容易に外れてしまうことがない。
【考案を実施するための最良の形態】
【００１４】
以下、本考案を実施例により説明するが、本考案はこれに限られるものではない。
【実施例】
【００１５】
本実施例のジグソーパズル用フレームは、５００ピースのジグソーパズル用のもので、サイズを異にする各製造メーカの５００ピースのジグソーパズルのうち主要な３タイプのものを収めることができるようにしたものである。
その３タイプのジグソーパズルの完成時の寸法はそれぞれ、縦約３８０ｍｍ×横約５３０ｍｍ（以下、この寸法のものを「大サイズのジグソーパズル」といい、図面ではＰ１の符号で示す。）、縦約３６０ｍｍ×横約４９０ｍｍ（以下、この寸法のものを「中サイズのジグソーパズル」といい、図面ではＰ２の符号で示す。）、および、縦約３５０ｍｍ×横約４９０ｍｍ（以下、この寸法のものを「小サイズのジグソーパズル」といい、図面ではＰ３の符号で示す。）である。
【００１６】
Ａは、上記ジグソーパズルＰ１，Ｐ２，Ｐ３のいずれよりもひとまわり大きい、縦枠ａ１，ａ１と横枠ａ２，ａ２とからなる横長方形枠状の台座である。
その台座Ａの内周には、細幅の裏板支持部ａ３が、段差を介してその上面を下げて形成されている。
【００１７】
ａ４，…，…は、この台座Ａの四隅の上面に起立形成された平面方形の枠状突起である。
ａ５，…，…は上記枠状突起ａ４，…，…内に起立形成された板状突起である。
ａ６〜ａ９は上記各横枠ａ２，ａ２の一側に立設された円柱突起である。
ａ１０〜ａ１３は、上記各横枠ａ２，ａ２の他側に立設された円柱突起である。
ａ１４〜ａ１６は、上記各縦枠ａ１，ａ１の一側に立設された円柱突起、ａ１７〜ａ１９はその各縦枠ａ１，ａ１の他側に立設された円柱突起である。
ａ２０は、上記各横枠ａ２，ａ２の中央に立設された角柱突起、ａ２１，ａ２２はその角柱突起ａ２０の両側に立設された円柱突起である。
ａ２３，ａ２４は上記各縦枠ａ１，ａ１の中央部に立設された円柱突起である。
【００１８】
ａ２５，…，…は、該台座Ａの四隅の、上記円柱突起ａ９，ａ１４，ａ１３，ａ１７等の内側の位置に、４つずつ形成した丸孔である。
ａ２６，…，…は、縦枠ａ１，ａ１および横枠ａ２，ａ２のそれぞれ所定位置に設けた、該フレームを壁掛けする際などに紐を通すためのフックである。
【００１９】
ａ２７，…，…は各縦枠ａ１，ａ１の２箇所ずつに設けられた押さえ枠ロック部材（押さえ枠ロック手段）、ａ２８，…，…は各横枠ａ２，ａ２の２箇所ずつに設けられた押さえ枠ロック部材（押さえ枠ロック手段）である。これら押さえ枠ロック部材ａ２７，ａ２８は、各枠ａ１（ａ２）に形成した長孔ａ２９に挿通した軸ａ３０の下面側にツマミａ３１を、上面側に係合片ａ３２を固定し、上記長孔ａ２９に沿って摺動可能になっており、上記係合片ａ３２を後記押さえ枠Ｄのロック用係合部材Ｄ２６に係脱自在に係合するようになっている。
ａ３３，…，…は、上記横枠ａ２，ａ２に立設された角柱突起である。
【００２０】
Ｂは、上記台座Ａの上記裏板支持部ａ３上に嵌合乗載することができる、横長方形の厚紙製の裏板である。
この裏板Ｂを台座Ａの裏板支持部ａ３に嵌合乗載すると、その上面は、縦枠ａ１，ａ１および横枠ａ２，ａ２の上面と面一になる。
【００２１】
Ｃは、アクリル等の透明な合成樹脂製で横長方形のカバー板である。その短辺には、上記台座Ａ上に乗載したときに、押さえ枠ロック部材ａ２７，ａ２８に対応することとなる位置に、ｃ１，…，…が形成されている。
【００２２】
Ｄ，…，…は、長さ２９０ｍｍ幅４２ｍｍの棒状の押さえ枠である（図１４〜１６）。
その上面には、高さ３ｍｍの円柱状の装飾突起Ｄ１，…，…が、縦横に５ｍｍピッチで多数列設されている。
【００２３】
この押さえ枠Ｄの一側（外側）縁部には、高さ１５ｍｍの垂下壁Ｄ２が連設されており、他側（内側）縁部には高さ６ｍｍの垂下壁Ｄ３が連設されている。
Ｄ４，Ｄ５は長手方向両端縁部の垂下壁Ｄ６，Ｄ７に形成された切欠き、Ｄ８，Ｄ９は、それらの垂下壁Ｄ６，Ｄ７に切欠き形成された連結片係合部である。
【００２４】
Ｄ１０〜Ｄ２３は、押さえ枠Ｄの下面の所定位置に形成された短筒状（ないし一部を切欠した短筒状、以下同じ。）の突起受部である。
Ｄ２４，Ｄ２５は、該押さえ枠Ｄの下面のほぼ中央の位置に、Ｄ２７はその長手方向一側の位置にそれぞれ形成された角筒状の突起受部である。
【００２５】
上記突起受部Ｄ１９，Ｄ２３，Ｄ１６，Ｄ１４，Ｄ１０は、台座Ａに乗載された大サイズジグソーパズルＰ１の周縁を該押さえ枠Ｄにより押圧固定する際に、該押さえ枠Ｄを上記大サイズジグソーパズルＰ１のサイズに合わせた所定の位置に取り付けるための大サイズジグソーパズル縦枠用嵌合手段である。
上記突起受部Ｄ１０，Ｄ１３，Ｄ１６，Ｄ２０、Ｄ２４は、台座Ａに乗載された大サイズジグソーパズルＰ１の周縁を該押さえ枠Ｄにより押圧固定する際に、該押さえ枠Ｄを上記大サイズジグソーパズルＰ１のサイズに合わせた所定の位置に取り付けるための大サイズジグソーパズル横枠用嵌合手段である。
【００２６】
上記突起受部Ｄ２１，Ｄ１８，Ｄ１５，Ｄ１１は、台座Ａに乗載された中サイズジグソーパズルＰ２および小サイズジグソーパズルＰ３の周縁を該押さえ枠Ｄにより押圧固定する際に、該押さえ枠ＤをそれらジグソーパズルＰ２，Ｐ３のサイズに合わせた所定の位置に取り付けるための中サイズ・小サイズジグソーパズル縦枠用嵌合手段である。
上記突起受部Ｄ１２，Ｄ１５，Ｄ１８，Ｄ２２、Ｄ２５は、台座Ａに乗載された中サイズジグソーパズルＰ２および小サイズジグソーパズルＰ３の周縁を該押さえ枠Ｄにより押圧固定する際に、該押さえ枠ＤをそれらジグソーパズルＰ２，Ｐ３のサイズに合わせた所定の位置に取り付けるための中サイズ・小サイズジグソーパズル横枠用嵌合手段である。
【００２７】
Ｄ２６，Ｄ２６は、該押さえ枠Ｄの下面に固定され、押さえ枠Ｄの裏面との間に空隙を開けて固定され、所定位置に取り付けられた際に上記押さえ枠ロック部材ａ２７，ａ２８の係合片ａ３２にそれぞれ係合する係合辺Ｄ２６ａ〜Ｄ２６ｃを有するロック用係合部材（押さえ枠ロック手段）である。
【００２８】
Ｅ，Ｅは、図１７〜２０等に示すように、幅４２ｍｍの短腕Ｅ１の基端の一側に同幅の長腕Ｅ２を連設してなるＬ字状で、縦約１３０ｍｍ、横約６６ｍｍの押さえ枠である。この上面には、径３ｍｍ高さ３ｍｍの円柱状の装飾突起Ｅ３，…，…が、縦横に５ｍｍピッチで多数列設されている。
この押さえ枠Ｅの外縁には、高さ１５ｍｍの垂下壁Ｅ４が連設されている。
Ｅ５は、長腕Ｅ２の先端の垂下壁Ｅ６の外面に突出形成された縦断面Ｌ字形の押さえ枠連結片（押さえ枠連結手段）、Ｅ７は短腕Ｅ１の同垂下壁Ｅ８の外面に突出形成された縦断面Ｌ字形の押さえ枠連結片（押さえ枠連結手段）である。
【００２９】
Ｅ９〜Ｅ１７は、この押さえ枠Ｅの裏面に形成された短筒状の突起受部である。
また、Ｅ１８，Ｅ１９は、それら短腕Ｅ１と長腕Ｅ２の連続する隅部分の裏面に形成された板状突起である。
【００３０】
上記突起受部Ｅ１７，Ｅ１６，Ｅ１３，Ｅ１１、および板状突起Ｅ１８は、
台座Ａに乗載された大サイズジグソーパズルＰ１の周縁を該押さえ枠Ｅにより押圧固定する際に、該押さえ枠Ｅを上記大サイズジグソーパズルＰ１のサイズに合わせた所定の位置に取り付けるための大サイズジグソーパズル用嵌合手段である。
上記突起受部Ｅ１５，Ｅ１４，Ｅ１２，Ｅ９，Ｅ１０、および板状突起Ｅ１９は、台座Ａに乗載された中サイズジグソーパズルＰ２および小サイズジグソーパズルＰ３の周縁を該押さえ枠Ｅにより押圧固定する際に、該押さえ枠ＥをそれらジグソーパズルＰ２，Ｐ３のサイズに合わせた所定の位置に取り付けるための中サイズ・小サイズジグソーパズル用嵌合手段である。
【００３１】
Ｆ，Ｆは、図２１〜２４に示すように、上記押さえ枠Ｅと線対称な、すなわち短腕Ｆ１の基端に対して、上記押さえ枠Ｅとは反対側に長腕Ｆ２を連設した（逆）Ｌ字状の押さえ枠である（押さえ枠Ｅの符号Ｅ１〜Ｅ１９と対応する箇所に符号Ｆ１〜Ｆ１９を付した。）。この押さえ枠Ｆ，Ｆは、対称な形状であることを除けば上記押さえ枠Ｅ，Ｅと同構造である。
【００３２】
Ｇ，Ｇは、大サイズジグソーパズル用補助押さえ枠（横枠用）で、縦４２ｍｍ、横約４０ｍｍの方形をなすその主体部Ｇ’の上面には、上記各押さえ枠と同様に、径３ｍｍ高さ３ｍｍの円柱状の装飾突起Ｇ１，…，…が、縦横に５ｍｍピッチで多数列設されている。
上記主体部Ｇ’の一側（外側）縁部には高さ１５ｍｍの垂下壁Ｇ２が連設されており、他側（内側）縁部には高さ６ｍｍの垂下壁Ｇ３が連設されている。
その主体部Ｇ’の一側の側壁Ｇ４の下縁には、支持板Ｇ５が水平に延出され、そこには角柱突起Ｇ６が立設されまた嵌合孔Ｇ７が形成されている。
上記側壁Ｇ４の外面にはまた、縦断面Ｌ字形の押さえ枠連結片（押さえ枠連結手段）Ｇ８が突出形成されている。これは、隣接対向する上記押さえ枠Ｄの連結片係合部Ｄ９に嵌合して、該補助押さえ枠Ｇと上記押さえ枠Ｄとを連結するものである。
Ｇ９，Ｇ１０は、主体部Ｇ’の裏面に形成された角筒状の突起受部である。
Ｇ１１は他側の側壁Ｇ１２に切欠き形成された連結片係合部（押さえ枠連結手段）である。
【００３３】
Ｈ，Ｈは、大サイズジグソーパズル用補助押さえ枠（縦枠用）で、図２９〜３２に示すように、横４２ｍｍ、縦３０ｍｍの方形をなすその主体部Ｈ’の上面には、上記補助押さえ枠Ｇ等と同様に、径３ｍｍ高さ３ｍｍの円柱状の装飾突起Ｈ１，…，…が、縦横に５ｍｍピッチで多数列設されている。
上記主体部Ｈ’の一側（外側）縁部には高さ１５ｍｍの垂下壁Ｈ２が連設されており、他側（内側）縁部には高さ６ｍｍの垂下壁Ｈ３が連設されている。
その主体部Ｈ’の一側の側壁Ｈ４の下縁には支持板Ｈ５が水平に延出されており、その支持板Ｈ５には、角柱突起Ｈ６と嵌合孔Ｈ７とが設けられている。
Ｈ８は、上記側壁Ｈ４の上記垂下壁Ｈ３よりの位置の下縁から水平に突出させた底板の先端に起立片を立設してなるＬ字形の押さえ枠連結片（押さえ枠連結手段）である。
Ｈ９は、上記主体部Ｈ’の裏面に形成された円筒状の突起受部である。
Ｈ１０は、他側の側壁Ｈ１１に切欠き形成された連結片係合部（押さえ枠連結手段）である。
【００３４】
Ｊは、幅１８．７５ｍｍの長方形の幅広板Ｊ１の長手方向一端部の一側（図３７（ｃ）では上端部の左側）に、幅１４．５ｍｍの長方形の幅細板Ｊ２を連設した略Ｌ字状をなす中サイズジグソーパズル用位置決め片である（図３７）。その下面の所定位置には、４つの環状の突起Ｊ３，…，…が形成されている。
Ｊ４は、幅広板Ｊ１と幅細板Ｊ２が連続する隅部の外側に形成した切欠き部である。
この位置決め片Ｊは、上記台座Ａの縦枠ａ１と横枠ａ２とが連続する隅部（図３４では右上および左下隅部）に、上記突起Ｊ３，…，…を丸孔ａ２５，…，…に嵌合させて、かつ、切欠き部Ｊ４を上記枠状突起ａ４に嵌合させて取外し自在に乗載される。
【００３５】
Ｊ’は、図３７に示すように、上記位置決め片Ｊとは線対称な、すなわち幅広板Ｊ１’の長手方向一端部の他側（図３７（ｆ）では上端部の右側）に幅細板Ｊ２’を連設した中サイズジグソーパズル用位置決め片で（位置決め片Ｊの符号Ｊ１〜Ｊ４と対応する箇所に符号Ｊ１’〜Ｊ４’を付した。）、これは、台座Ａの縦枠ａ１と横枠ａ２とが連続する隅部（図３４では右下および左上隅部）に、嵌合乗載される。
【００３６】
これら中サイズジグソーパズル用位置決め片Ｊ，Ｊ，Ｊ’，Ｊ’を台座Ａの四隅に乗載嵌合すると、該位置決め片Ｊ，Ｊ，Ｊ’，Ｊ’の間に、中サイズのジグソーパズルＰ２がちょうど収まるようになっており、これはジグソーパズルＰ２を位置決めするのに用いられる。
【００３７】
Ｋは、幅１９．５ｍｍの長方形の幅広板Ｋ１の長手方向一端部の一側（図４０（ｃ）では上端部の左側）に、同じく幅１９．５ｍｍの長方形の幅太板Ｋ２を連設した略Ｌ字状をなす小サイズジグソーパズル用位置決め片である（図４０）。その下面の所定位置には、４つの環状の突起Ｋ３，…，…が形成されている。
Ｋ４は、幅広板Ｋ１と幅細板Ｋ２が連続する隅部の外側に形成した切欠き部である。
この位置決め片Ｋは、上記台座Ａの縦枠ａ１と横枠ａ２とが連続する隅部（図３８では右上および左下隅部）に、上記突起Ｋ３，…，…を丸孔ａ２５，…，…に嵌合させて、かつ、切欠き部Ｋ４を上記枠状突起ａ４に嵌合させて取外し自在に乗載される。
【００３８】
Ｋ’は、図４０に示すように、上記位置決め片Ｋとは線対称な、すなわち幅広板Ｋ１’の長手方向一端部の他側（図４０（ｆ）では上端部の右側）に幅太板Ｋ２’を連設した中サイズジグソーパズル用位置決め片で（位置決め片Ｋの符号Ｋ１〜Ｋ４と対応する箇所に符号Ｋ１’〜Ｋ４’を付した。）、これは、台座Ａの縦枠ａ１と横枠ａ２とが連続する隅部（図３８では右下および左上隅部）に、嵌合乗載される。
【００３９】
これら小サイズジグソーパズル用位置決め片Ｋ，Ｋ，Ｋ’，Ｋ’を台座Ａの四隅に乗載嵌合すると、該位置決め片Ｋ，Ｋ，Ｋ’，Ｋ’の間に、小サイズのジグソーパズルＰ３がちょうど収まるようになっており、これは、該ジグソーパズルＰ３を位置決めするのに用られる。
【００４０】
上記の部品から構成される本考案ジグソーパズル用フレームは、大サイズのジグソーパズルＰ１を、以下のようにして収めることができる。
【００４１】
まず、上記台座Ａの裏板支持部ａ３上に上記裏板Ｂを嵌合乗載するとともに、大サイズのジグソーパズルＰ１を乗載し、さらに、この上に、カバー板Ｃを乗載する。
【００４２】
続いて、台座Ａの周縁に、すなわち、台座Ａの四隅に上記押さえ枠Ｅ，Ｅ，Ｆ，Ｆを、上記各縦枠ａ１，ａ１にそれぞれ大サイズジグソーパズル用補助押さえ枠（縦枠用）Ｈ，Ｈを、上記各横枠ａ２，ａ２に大サイズジグソーパズル用補助押さえ枠（横枠用）Ｇ，Ｇを、また、上記縦枠ａ１，ａ１、横枠ａ２，ａ２それぞれに押さえ枠Ｄ，…，…を、いずれも上記ジグソーパズルＰ１のサイズに合わせた所定位置に取外し自在に取り付け、さらに、上記押さえ枠ロック部材（押さえ枠ロック手段）ａ２７，ａ２８によりこれらが台座Ａから外れないようロックする。
これにより、上記大サイズのジグソーパズルＰ１の四辺は、各押さえ枠の内縁により上記カバー板Ｃ上から押圧固定され、また、各押さえ枠は容易に外れてしまうことがない。
【００４３】
上記押さえ枠Ｅ，Ｆ，Ｄおよび補助押さえ枠Ｇ，Ｈの台座Ａへの乗載固定は、具体的には、以下のように行う。
【００４４】
まず、台座Ａの四隅に上記押さえ枠Ｅ，Ｅ，Ｆ，Ｆを、各々の上記突起受部Ｅ１７，Ｅ１６，Ｅ１３，Ｅ１１（Ｆ１７，Ｆ１６，Ｆ１３，Ｆ１１）、および板状突起Ｅ１８（Ｆ１８）を、台座Ａの円柱突起ａ１１，ａ１２，ａ１３，ａ１７，ａ１８（ａ７，ａ８，ａ９，ａ１４，ａ１５），枠状突起ａ４，板状突起ａ５に嵌合させて乗載する（図５，６，７）。
【００４５】
続いて、大サイズジグソーパズル用補助押さえ枠（横枠用）Ｇを、その突起受部Ｇ９，Ｇ１０を台座Ａの角柱突起ａ３３，…，…に嵌合させ、また、嵌合孔Ｇ７を台座Ａの円柱突起ａ１０に嵌合させて乗載する。
このとき、該大サイズジグソーパズル用補助押さえ枠（横枠用）Ｇの連結片係合部（押さえ枠連結手段）Ｇ１１には、上記押さえ枠Ｅの押さえ枠連結片（押さえ枠連結手段）Ｅ５が係合する。
【００４６】
また、同様にして、大サイズジグソーパズル用補助押さえ枠（縦枠用）Ｈを、嵌合孔Ｈ７を台座Ａの円柱突起ａ１６に嵌合させ、また、突起受部Ｈ９を円柱突起ａ１５に嵌合させて乗載する。
このとき、該大サイズジグソーパズル用補助押さえ枠（縦枠用）Ｈの連結片係合部（押さえ枠連結手段）Ｈ１０には、上記押さえ枠Ｆの押さえ枠連結片（押さえ枠連結手段）Ｆ７が係合する。
【００４７】
次いで、上記縦枠ａ１，ａ１それぞれに押さえ枠Ｄ，Ｄを、上記突起受部Ｄ１９，Ｄ２３，Ｄ１６，Ｄ１４，Ｄ１０（大サイズジグソーパズル縦枠用嵌合手段）を、台座Ａの円柱突起ａ１６，ａ２３，ａ２４，ａ１９，ａ１８に嵌合させて乗載する。
このとき、押さえ枠Ｄ，Ｄの切欠きＤ５には、大サイズジグソーパズル用補助押さえ枠（縦枠用）Ｈの押さえ枠連結片（押さえ枠連結手段）Ｈ８が嵌合する。
そして、台座Ａの押さえ枠ロック手段ａ２７のツマミａ３１を摺動させることで、その係合片ａ３２をロック用係合部材（押さえ枠ロック手段）Ｄ２６の係合辺Ｄ２６ｂに係合させることにより（図１０）、上記の押さえ枠Ｄ，Ｄを台座Ａに対してロックする。これにより、隣接する大サイズジグソーパズル用補助押さえ枠（縦枠用）Ｈおよびさらにこれに隣接する押さえ枠Ｆも、押さえ枠連結片（押さえ枠連結手段）Ｆ７，Ｈ８を介してロックされる。
【００４８】
また、上記横枠ａ２，ａ２それぞれにも、同様に、押さえ枠Ｄ，Ｄを、上記突起受部Ｄ１０，Ｄ１３，Ｄ１６，Ｄ２０、Ｄ２４を、円柱突起ａ１０，ａ２２，ａ２１，ａ６，および角柱突起ａ２０に嵌合させて乗載する。
このとき、押さえ枠Ｄ，Ｄの切欠きＤ５には、大サイズジグソーパズル用補助押さえ枠（横枠用）Ｇの押さえ枠連結片（押さえ枠連結手段）Ｇ８が嵌合する。また、切欠きＤ４には押さえ枠Ｆの押さえ枠連結片（押さえ枠連結手段）Ｆ５が嵌合する。
【００４９】
そして、台座Ａの押さえ枠ロック手段ａ２８のツマミａ３１を摺動させることで、その係合片ａ３２をロック用係合部材（押さえ枠ロック手段）の係合辺Ｄ２６ａに係合させることにより（図１１）、上記の押さえ枠Ｄ，Ｄを台座Ａに対してロックする。これにより、隣接する大サイズジグソーパズル用補助押さえ枠（横枠用）Ｇおよびされにこれに隣接する押さえ枠Ｅも、押さえ枠連結片（押さえ枠連結手段）Ｇ８，Ｅ５を介してロックされる。
【００５０】
大サイズのジグソーパズルＰ１の四辺は、上記のようにして押さえ枠Ｄ，…，…，Ｅ，Ｅ，Ｆ，Ｆおよび補助押さえ枠Ｇ，Ｇ，Ｈ，Ｈにより上記カバー板Ｃ上から押圧固定される。
上記各押さえ枠Ｄ，Ｅ，Ｆ，Ｇ，Ｈはいずれも、その上面に多数の装飾突起Ｄ１，…，…、Ｅ３，…，…、Ｆ３，…，…，Ｇ１，…，…，Ｈ１，…，…が等間隔で立設されているので、趣向性のある外観をなすとともに、互いの継ぎ目が目立たないようになっている。
【００５１】
なお、上記押さえ枠Ｄ，Ｅ，Ｆ、補助押さえ枠Ｇ，Ｈの表面に、上記装飾突起Ｄ１，Ｅ３，Ｆ３，Ｇ１，Ｈ１に嵌合させて、任意の箇所に取り外し自在に取り付けることができる装飾ブロックを用意することができる。
たとえば、各種のアルファベットや、その他の文字，図形，または記号をかたどった装飾ブロックを用意することができ、また、楕円形をかたどったプレート状のものとし、その表面にキャラクター名や作品名を表した紙片を貼着あるいは挟み込みできるようにしておくのも好ましい。このように飾り付けを行うことにより、独自性の高い装飾とすることができる。
【００５２】
本実施例のジグソーパズル用フレームはまた、中サイズのジグソーパズルＰ２を、以下のようにして収めることができる。
【００５３】
まず、上記台座Ａの裏板支持部ａ３に上記裏板Ｂを嵌合乗載するとともに、該台座Ａの四隅に、中サイズジグソーパズル用位置決め片Ｊ，Ｊ，Ｊ’，Ｊ’を、それらの突起Ｊ３，…，…、Ｊ３’，…，…を台座Ａの丸孔ａ２５に嵌合させて、乗載する。
そして、上記中サイズジグソーパズル用位置決め片Ｊ，Ｊ，Ｊ’，Ｊ’により位置決めして中サイズのジグソーパズルＰ２を嵌合乗載し、さらに、この上にカバー板Ｃを乗載する。
【００５４】
続いて、台座Ａの周縁に、すなわち、台座Ａの四隅に上記押さえ枠Ｅ，Ｅ，Ｆ，Ｆを、また、上記縦枠ａ１，ａ１、横枠ａ２，ａ２それぞれに押さえ枠Ｄ，…，…を、いずれも上記ジグソーパズルＰ２のサイズに合わせた所定位置に取外し自在に取り付け、さらに、上記押さえ枠ロック部材（押さえ枠ロック手段）ａ２７，ａ２８によりこれらを台座Ａに対してロックする。
これにより、上記大サイズのジグソーパズルＰ２の四辺は、各押さえ枠の内縁により上記カバー板Ｃ上から押圧固定され、また、各押さえ枠は容易に外れてしまうことがない。
【００５５】
上記押さえ枠Ｅ，Ｆ，Ｄの台座Ａへの乗載固定は、具体的には、以下のように行う。
【００５６】
まず、台座Ａの四隅に上記押さえ枠Ｅ，Ｅ，Ｆ，Ｆを、各々の上記突起受部Ｅ１５，Ｅ１４，Ｅ１２，Ｅ１０，Ｅ９（Ｆ１５，Ｆ１４，Ｆ１２，Ｆ１０，Ｆ９）、および板状突起Ｅ１９（Ｆ１９）を、台座Ａの円柱突起ａ１１，ａ１２，ａ１３，ａ１７，ａ１８（ａ７，ａ８，ａ９，ａ１４，ａ１５），枠状突起ａ４，板状突起ａ５に嵌合させて乗載する。
【００５７】
次いで、上記縦枠ａ１，ａ１それぞれに押さえ枠Ｄ，Ｄを、上記突起受部Ｄ２１，Ｄ１８，Ｄ１５，Ｄ１１（中サイズ・小サイズジグソーパズル縦枠用嵌合手段）を、台座Ａの円柱突起ａ１６，ａ２３，ａ２４，ａ１９に嵌合させて乗載する。
このとき、押さえ枠Ｄ，Ｄの切欠きＤ５には、押さえ枠Ｆの押さえ枠連結片（押さえ枠連結手段）Ｆ７が嵌合し、切欠きＤ４には押さえ枠Ｅの押さえ枠連結片（押さえ枠連結手段）Ｅ７が嵌合する。
そして、台座Ａの押さえ枠ロック手段ａ２７のツマミａ３１を摺動させることで、その係合片ａ３２をロック用係合部材（押さえ枠ロック手段）Ｄ２６の係合辺Ｄ２６ｃに係合させることにより、上記の押さえ枠Ｄ，Ｄを台座Ａに対してロックする。これにより、隣接する押さえ枠Ｅ，Ｆも、押さえ枠連結片（押さえ枠連結手段）Ｅ７，Ｆ７を介してロックされる。
【００５８】
また、上記横枠ａ２，ａ２それぞれにも、同様に、押さえ枠Ｄ，Ｄを、上記突起受部Ｄ１２，Ｄ１５，Ｄ１８，Ｄ２２、Ｄ２５を、円柱突起ａ１０，ａ２２，ａ２１，ａ６，および角柱突起ａ２０に嵌合させて乗載する。
このとき、押さえ枠Ｄ，Ｄの切欠きＤ４には、押さえ枠Ｆの押さえ枠連結片（押さえ枠連結手段）Ｆ５が嵌合し、切欠きＤ５には、押さえ枠Ｅの押さえ枠連結片（押さえ枠連結手段）Ｅ５が嵌合する。
【００５９】
そして、台座Ａの押さえ枠ロック手段ａ２８のツマミａ３１を摺動させることで、その係合片ａ３２をロック用係合部材（押さえ枠ロック手段）Ｄ２６の係合辺Ｄ２６ｃに係合させることにより（図３６）、上記の押さえ枠Ｄ，Ｄを台座Ａに対してロックする。これにより、隣接する押さえ枠ＥおよびＦも、押さえ枠連結片（押さえ枠連結手段）Ｅ５，Ｆ５を介してロックされる。
【００６０】
中サイズのジグソーパズルＰ１の四辺は、上記のようにして押さえ枠Ｄ，…，…，Ｅ，Ｅ，Ｆ，Ｆにより上記カバー板Ｃ上から押圧固定される。
【００６１】
小サイズのジグソーパズルＰ３も、本実施例のジグソーパズル用フレームに、上記中サイズのジグソーパズルＰ２と同様の位置に取り付けられる押さえ枠Ｄ，…，…，Ｅ，Ｅ，Ｆ，Ｆにより上記カバー板Ｃ上から押圧固定される。
ただし、その台座Ａに対する位置決めは、中サイズのジグソーパズルＰ２の場合に用いた中サイズジグソーパズル用位置決め片Ｊ，Ｊ，Ｊ’，Ｊ’に代えて、小サイズジグソーパズル用位置決め片Ｋ，Ｋ，Ｋ’，Ｋ’によって行われる。
この小サイズジグソーパズル用位置決め片Ｋ，Ｋ，Ｋ’，Ｋ’の台座Ａへの乗載は、各位置決め片の突起Ｋ３，…，…、Ｋ３’，…，…を、台座Ａの丸孔ａ２５に嵌合させて行う。
その他の点は上記中サイズのジグソーパズルＰ２を収める場合と同様であるから説明を省略する。
【００６２】
上記のように、本ジグソーパズル用フレームは、複数の押さえ枠Ｄ，Ｅ，Ｆ，Ｇ，Ｈを、台座Ａに対して所定位置に乗載固定することで、互いにサイズを異にするジグソーパズルをそれぞれのサイズ合わせて収めることができる。
【００６３】
なお、５００ピースのジグソーパズルの場合、中サイズのジグソーパズルＰ２と小サイズのジグソーパズルＰ３のサイズはほぼ同じであるので、本実施例では、それらを乗載固定する際、各押さえ枠は同一位置に取り付け固定しているが、両者のサイズに合わせて異なる位置に取り付け固定することとしてもよい。
その場合には、たとえば、各押さえ枠Ｄ，Ｅ，Ｆの裏面の所要位置に別途突起受部を設け、また、中サイズ・小サイズそれぞれのジグソーパズルＰ２，Ｐ３専用の、補助押さえ枠を用意することで対応できる。
【００６４】
また、上記台座Ａを、２つの部分にあるいはより多くの部分に分割可能にして構成すれば、該ジグソーパズル用フレームは、よりコンパクトに収納、包装可能なものとなる。
【００６５】
さらに、上記では５００ピースのジグソーパズルを例に挙げて説明したが、１００ピースや３００ピースのジグソーパズルについても、寸法を適宜変更して、同様のジグソーパズル用フレームを用意することができる。
【図面の簡単な説明】
【００６６】
【図１】本考案の実施例に係るジグソーパズル用フレームに大サイズのジグソーパズルを収めた状態の平面図である。
【図２】同上の押さえ枠を取り外した状態の斜視図である。
【図３】同上の分解斜視図である。
【図４】裏板と大サイズのジグソーパズルとカバー板を乗載した台座と、この台座に取り付けられる押さえ枠とを示す要部拡大平面図である。
【図５】同上の斜視図である。
【図６】上記台座の角部に上記押さえ枠を取り付けた状態を示した平面図である。
【図７】同上の斜視図である。
【図８】さらに補助押さえ枠を取り付けた状態を示した要部拡大斜視図である。
【図９】台座の横枠に、さらに押さえ枠を取り付けた状態を示した要部拡大斜視図である。
【図１０】（ａ）は、縦枠に取り付けた押さえ枠のロック前の状態を、（ｂ）は、ロックした状態を示した一部切欠斜視図である。
【図１１】（ａ）は、横枠に取り付けた押さえ枠のロック前の状態を、（ｂ）は、ロックした状態を示した一部切欠斜視図である。
【図１２】上記台座の平面図である。
【図１３】同上の斜視図である。
【図１４】棒状の押さえ枠の斜視図である。
【図１５】（ａ）は同上の正面図、（ｂ）はその底面図である。
【図１６】同上の側面図である。
【図１７】Ｌ字状の押さえ枠の斜視図である。
【図１８】その底面図である。
【図１９】その背面図である。
【図２０】その側面図である。
【図２１】逆Ｌ字状の押さえ枠の斜視図である。
【図２２】その底面図である。
【図２３】その正面図である。
【図２４】その側面図である。
【図２５】大サイズジグソーパズル用補助押さえ枠（横枠用）の斜視図である。
【図２６】その底面図である。
【図２７】その正面図である。
【図２８】その側面図である。
【図２９】大サイズジグソーパズル用補助押さえ枠（縦枠用）の斜視図である。
【図３０】その底面図である。
【図３１】その正面図である。
【図３２】その側面図である。
【図３３】本考案の実施例に係るジグソーパズル用フレームに中サイズのジグソーパズルを収めた状態の平面図である。
【図３４】同上の押さえ枠を取り外した状態の平面図である。
【図３５】その要部拡大図である。
【図３６】（ａ）は、台座に取り付けた押さえ枠のロック前の状態を、（ｂ）は、ロックした状態を示した一部切欠斜視図である。
【図３７】（ａ）（ｄ）は中サイズジグソーパズル用位置決め片の底面図、（ｃ）（ｆ）はその平面図、（ｂ）（ｅ）はその側面図である。
【図３８】本考案の実施例に係るジグソーパズル用フレームの、小サイズのジグソーパズルを収めた台座と、これに取り付ける押さえ枠等を示した平面図である。
【図３９】その要部拡大図である。
【図４０】（ａ）（ｄ）は小サイズジグソーパズル用位置決め片の底面図、（ｃ）（ｆ）はその平面図、（ｂ）（ｅ）はその側面図である。
【符号の説明】
【００６７】
Ａ 台座
Ｂ 裏板
Ｃ カバー板
Ｄ 押さえ枠
Ｅ 押さえ枠  
Ｆ 押さえ枠
Ｇ 大サイズジグソーパズル用補助押さえ枠（横枠用）
Ｈ 大サイズジグソーパズル用補助押さえ枠（縦枠用） 
Ｊ，Ｊ’ 中サイズジグソーパズル用位置決め片
Ｋ，Ｋ’ 小サイズジグソーパズル用位置決め片
Ｇ，Ｈ 補助押さえ枠
Ｐ１ 大サイズのジグソーパズル
Ｐ２ 中サイズのジグソーパズル
Ｐ３ 小サイズのジグソーパズル
ａ１ 縦枠
ａ２ 横枠
ａ２７，ａ２８ 押さえ枠ロック部材
ａ２９ 長孔
ａ３０ 軸
ａ３１ ツマミ
ａ３２ 係合片
Ｄ２６ ロック用係合部材
Ｄ２６ａ〜Ｄ２６ｃ 係合辺
【図１】
0003130934.tif 000003
【図２】
0003130934.tif 000004
【図３】
0003130934.tif 000005
【図４】
0003130934.tif 000006
【図５】
0003130934.tif 000007
【図６】
0003130934.tif 000008
【図７】
0003130934.tif 000009
【図８】
0003130934.tif 000010
【図９】
0003130934.tif 000011
【図１０】
0003130934.tif 000012
【図１１】
0003130934.tif 000013
【図１２】
0003130934.tif 000014
【図１３】
0003130934.tif 000015
【図１４】
0003130934.tif 000016
【図１５】
0003130934.tif 000017
【図１６】
0003130934.tif 000018
【図１７】
0003130934.tif 000019
【図１８】
0003130934.tif 000020
【図１９】
0003130934.tif 000021
【図２０】
0003130934.tif 000022
【図２１】
0003130934.tif 000023
【図２２】
0003130934.tif 000024
【図２３】
0003130934.tif 000025
【図２４】
0003130934.tif 000026
【図２５】
0003130934.tif 000027
【図２６】
0003130934.tif 000028
【図２７】
0003130934.tif 000029
【図２８】
0003130934.tif 000030
【図２９】
0003130934.tif 000031
【図３０】
0003130934.tif 000032
【図３１】
0003130934.tif 000033
【図３２】
0003130934.tif 000034
【図３３】
0003130934.tif 000035
【図３４】
0003130934.tif 000036
【図３５】
0003130934.tif 000037
【図３６】
0003130934.tif 000038
【図３７】
0003130934.tif 000039
【図３８】
0003130934.tif 000040
【図３９】
0003130934.tif 000041
【図４０】
0003130934.tif 000042